(57)【特許請求の範囲】
【請求項１】
音声信号セグメントを含む第１中間周波信号を３セグメント分の通過帯域幅を有するバンドパスフィルタを通し、該バンドパスフィルタを通過した音声信号セグメントを含む第１中間周波数信号を第２中間周波信号に変換するダブルスーパーヘテロダイン方式のデジタル地上波放送受信機において、第２中間周波信号を入力とし第２中間周波信号中の音声信号セグメントを通過させるハイパスフィルタを備え、音声信号セグメントがバンドパスフィルタの通過帯域中の下限側に位置するとき第１中間周波数よりも高い局部発振周波数によって第１中間周波信号を第２中間周波信号に変換することを特徴とするデジタル地上波放送受信機。
【請求項２】
音声信号セグメントを含む第１中間周波信号を３セグメント分の通過帯域幅を有するバンドパスフィルタを通し、該バンドパスフィルタを通過した音声信号セグメントを含む第１中間周波数信号を第２中間周波信号に変換するダブルスーパーヘテロダイン方式のデジタル地上波放送受信機において、第２中間周波信号を入力とし第２中間周波信号中の音声信号セグメントを通過させるハイパスフィルタを備え、音声信号セグメントがバンドパスフィルタの通過帯域中の上限側に位置するとき第１中間周波数よりも低い局部発振周波数によって第１中間周波信号を第２中間周波信号に変換することを特徴とするデジタル地上波放送受信機。
【発明の詳細な説明】
【０００１】
【発明の属する技術分野】
本発明はデジタル地上波放送受信機に関し、さらには、１セグメントが音声信号セグメントとされているデジタル地上波放送を受信するデジタル地上波放送受信機に関する。
【０００２】
【従来の技術】
従来のデジタル地上波放送受信機は、音声信号セグメントを含む第１中間周波信号を、バンドパスフィルタが安価に構成できるために３セグメント分の通過帯域幅を有するバンドパスフィルタを通し、該バンドパスフィルタを通過した音声信号セグメントを含む第１中間周波数信号を第２中間周波信号に変換するダブルスーパーヘテロダイン方式の受信機が用いられている。
【０００３】
詳細には図５に示すように、アンテナ端子１から出力されるＲＦ信号は、ＡＧＣのための増幅器２に供給して増幅し、増幅器２からの増幅出力信号は選局のためのトラッキングフィルタ３、ＰＬＬ周波数シンセサイザおよびミキサからなる周波数変換段に４によって第１中間周波数、例えば５７ＭＨｚ帯の信号に周波数変換し、周波数変換された第１中間周波信号はスイッチ回路５に供給し、スイッチ回路５に供給されるセグメント切替信号によって受信セグメントの切替を行っている。
【０００４】
セグメント切替信号に基づき１セグメントの音声信号受信を行うと指示されたときは、音声信号セグメントを含む第１中間周波信号はスイッチ回路５によって３セグメント分に対する通過帯域幅を有するＳＡＷバンドパスフィルタ（以下、バンドパスフィルタとも記す）６に供給して帯域制限し、バンドパスフィルタ６により帯域制限された信号は中間周波増幅器７にて増幅のうえ、さらに３セグメント分に対する通過帯域幅を有するＳＡＷバンドパスフィルタ（以下、バンドパスフィルタとも記す）８によって帯域制限する。
【０００５】
ＳＡＷバンドパスフィルタ８からの出力信号は、ＡＧＣのための増幅器９に供給して増幅のうえ、ＰＬＬ周波数シンセサイザからなる局部発振器１０からの発振出力を受けるミキサ１１によって周波数混合して第２中間周波数、例えば４．０６３ＭＨｚの第２中間周波数に周波数変換し、Ａ／Ｄ変換器１３に供給してＡ／Ｄ変換し、Ａ／Ｄ変換出力は復調器１４に供給して復調する。
【０００６】
ここで、１セグメントの音声信号受信のときにおいて、３セグメント分に対する帯域幅のバンドパスフィルタ６および８によって帯域制限を行っているため、隣接位置にアナログテレビジョン信号が存在するときのみ第１中間周波数をシフト、いわゆるＩＦシフトさせて、隣接位置に存在するアナログテレビジョン信号を通過帯域外にシフトさせて、除去している。
【０００７】
一方、第１中間周波信号は検波回路１５に供給して検波し、検波出力をＡＧＣ電圧として増幅器２の利得を制御し、Ａ／Ｄ変換器１３に入力される第２中間周波信号は検波回路１６に供給して検波し、検波出力をＡＧＣ電圧として増幅器９の利得を制御する。
【０００８】
セグメント切替信号によって１３セグメントの受信、すなわち全セグメントの受信を行うと指示されたときは、スイッチ回路５によって第１中間周波信号は１３セグメント分に対する通過帯域幅を有するＳＡＷバンドパスフィルタ１７に供給して帯域制限し、バンドパスフィルタ１７により帯域制限された信号は中間周波増幅器１８にて増幅のうえ、さらに１３セグメント分に対する通過帯域幅を有するＳＡＷバンドパスフィルタ１９によって帯域制限のうえ、増幅器９に供給して増幅し、第２中間周波信号に変換する。
【０００９】
【発明が解決しようとする課題】
上記したデジタル地上波放送受信機によって１セグメントの音声信号受信を行うときは、３セグメント分に対する通過帯域幅を有するバンドパスフィルタによって音声信号を含む３セグメント分に帯域制限されている。すなわち、３セグメント分受信可能にされている。このため、ＩＦシフトによって隣接位置にあるアナログテレビジョン信号のみがバンドパスフィルタによって遮断されるのみであって、マルチパスやフェージングの影響による隣接ＩＳＤＢ−Ｔ信号の影響を受けるという問題点がある。
【００１０】
さらに、上記したデジタル地上波放送受信機において、マルチパスやフェージングがない環境下においても、１セグメントの音声信号受信時において、３セグメントの信号を合成した信号がＡ／Ｄ変換され、次いで復調されるためＡ／Ｄ変換器の変換精度による影響を受けるという問題点もある。
【００１１】
本発明は、簡単な構成によって１セグメントの音声信号受信時において１セグメントの音声信号を取り出すことができるデジタル地上波放送受信機を提供することを目的とする。
【００１２】
【課題を解決するための手段】
本発明の請求項１にかかるデジタル地上波放送受信機は、音声信号セグメントを含む第１中間周波信号を３セグメント分の通過帯域幅を有するバンドパスフィルタを通し、該バンドパスフィルタを通過した音声信号セグメントを含む第１中間周波数信号を第２中間周波信号に変換するダブルスーパーヘテロダイン方式のデジタル地上波放送受信機において、第２中間周波信号を入力とし第２中間周波信号中の音声信号セグメントを通過させるハイパスフィルタを備え、音声信号セグメントがバンドパスフィルタの通過帯域中の下限側に位置するとき第１中間周波数よりも高い局部発振周波数によって第１中間周波信号を第２中間周波信号に変換することを特徴とする。
【００１３】
本発明の請求項２にかかるデジタル地上波放送受信機は、音声信号セグメントを含む第１中間周波信号を３セグメント分の通過帯域幅を有するバンドパスフィルタを通し、該バンドパスフィルタを通過した音声信号セグメントを含む第１中間周波数信号を第２中間周波信号に変換するダブルスーパーヘテロダイン方式のデジタル地上波放送受信機において、第２中間周波信号を入力とし第２中間周波信号中の音声信号セグメントを通過させるハイパスフィルタを備え、音声信号セグメントがバンドパスフィルタの通過帯域中の上限側に位置するとき第１中間周波数よりも低い局部発振周波数によって第１中間周波信号を第２中間周波信号に変換することを特徴とする。
【００１４】
本発明の請求項１および２にかかるデジタル地上波放送受信機によれば、第１中間周波信号中において音声信号セグメントがバンドパスフィルタの通過帯域中の下限側に位置するときは、第１中間周波数よりも高い局部発振周波数によって、また、第１中間周波信号中において音声信号セグメントがバンドパスフィルタの通過帯域中の上限側に位置するときは、第１中間周波数よりも低い局部発振周波数によって、第１中間周波信号が第２中間周波信号に変換される。
【００１５】
したがって、前者のときには、第１中間周波数よりも高い局部発振周波数により第１中間周波信号が第２中間周波数へ変換されるために、第２中間周波数への変換によりバンドパスフィルタを通過した第１中間周波信号と第２中間周波信号との間で周波数の大小関係は反転し、音声信号セグメントはハイパスフィルタの通過帯域の下限側に位置することになり、後者のときには、第１中間周波数よりも低い局部発振周波数により第１中間周波信号が第２中間周波数へ変換されるために、第２中間周波数への変換によりバンドパスフィルタを通過した第１中間周波信号と第２中間周波信号との間で周波数の大小関係は反転せず、音声信号セグメントはハイパスフィルタの通過帯域の下限側に位置することになって、バンドパスフィルタの通過帯域が３セグメント分あってもハイパスフィルタによって、音声信号セグメントが抽出されることになる。
【００１６】
本発明の請求項１および２にかかるデジタル地上波放送受信機によれば、ハイパスフィルタは第中間周波数より周波数が低い第２中間周波数段に設けられているため、ハイパスフィルタを容易に構成することができる。
【００１７】
【発明の実施の形態】
以下、本発明にかかるデジタル地上波放送受信機を実施の一形態によって説明する。
【００１８】
図１は本発明の実施の一形態にかかるデジタル地上波放送受信機を示すブロック図である。図１において図５に示した構成要素と同一の構成要素には同一の符号を付して示してある。
【００１９】
本発明の実施の一形態にかかるデジタル地上波放送受信機は、図１に示すように、ミキサ１１から出力される第２中間周波信号は受信希望セグメントである音声信号セグメントを通過させるハイパスフィルタ１２を通してＡ／Ｄ変換器１３に供給する。
【００２０】
さらに詳細には、アンテナ端子１から出力されるＲＦ信号は、ＡＧＣのための増幅器２に供給して増幅し、増幅器２からの増幅出力信号は選局のためのトラッキングフィルタ３、ＰＬＬ周波数シンセサイザおよびミキサからなる周波数変換段に４によって第１中間周波数、例えば５７ＭＨｚ帯の信号に周波数変換し、周波数変換された第１中間周波信号はスイッチ回路５に供給し、スイッチ回路５に供給されるセグメント切替信号によって受信セグメントの切替を行う。
【００２１】
セグメント切替信号に基づき１セグメントの音声信号受信を行うと指示されたときは、第１中間周波信号はスイッチ回路５によって３セグメント分に対する通過帯域幅を有するＳＡＷバンドパスフィルタ６に供給して帯域制限し、バンドパスフィルタ６により帯域制限された信号は中間周波増幅器７にて増幅のうえ、さらに３セグメント分に対する通過帯域幅を有するＳＡＷバンドパスフィルタ８によって帯域制限する。
【００２２】
ＳＡＷバンドパスフィルタ８からの出力信号は、ＡＧＣのための増幅器９に供給して増幅のうえ、ＰＬＬ周波数シンセサイザからなる局部発振器１０の発振出力を受けるミキサ１１によって周波数混合して、１３セグメント全部を受信する場合における第２中間周波数４．０６３ＭＨｚの例えば１／４の周波数である１．０１３７５ＭＨｚの第２中間周波数に周波数変換し、この第２中間周波信号は受信希望セグメントである音声信号の１セグメントをハイパスフィルタ１２を介して取り出し、Ａ／Ｄ変換器１３に供給してＡ／Ｄ変換し、Ａ／Ｄ変換出力は復調器１４に供給して復調する。
【００２３】
一方、第１中間周波信号は検波回路１５に供給して検波し、検波出力をＡＧＣ電圧として増幅器２の利得を制御し、ハイパスフィルタ１２の出力は検波回路１６に供給して検波し、検波出力をＡＧＣ電圧として増幅器９の利得を制御する。
【００２４】
セグメント切替信号によって１３セグメントの受信、すなわち全セグメントの受信を行うと指示されたときは、スイッチ回路５によって第１中間周波信号は１３セグメント分に対する通過帯域幅を有するＳＡＷバンドパスフィルタ１７に供給して帯域制限し、バンドパスフィルタ１７により帯域制限された信号は中間周波増幅器１８にて増幅のうえ、さらに１３セグメント分に対する通過帯域幅を有するＳＡＷバンドパスフィルタ１９によって帯域制限のうえ、増幅器９に供給して増幅し、４．０６３ＭＨｚの第２中間周波数に変換する。
【００２５】
ここで例えば、送信側で７セグメント同時出力しているものとして、本発明の実施の一形態にかかるデジタル地上波放送受信機の作用について説明する。
【００２６】
上記のように構成した本発明の実施の一形態にかかるデジタル地上波放送受信機において、受信信号はトラッキングフィルタ３を介して周波数変換段４に供給されて第１中間周波数に周波数変換される。スイッチ回路５には１セグメントの受信指示がなされているものとする。
【００２７】
そこで、バンドパスフィルタ６に入力される直前の受信信号の周波数スペクトラムは、図２（ａ）に示す如くであり、受信希望セグメントである１セグメントの音声信号の上側（周波数増加方向）２セグメントがバンドパスフィルタ６、８の通過帯域内に入るように周波数変換段４にて周波数変換される。図２、後記の図４および図５において、７セグメント中における受信希望セグメントである音声信号セグメントに斜線を付して示してある。
【００２８】
すなわち、図２（ａ）に示すように、受信希望セグメント直前の上側１セグメントの中心周波数が第１中間周波数５７ＭＨｚとなって、受信希望セグメントと受信希望セグメントの上側２セグメントまでがバンドパスフィルタ６、８の通過帯域内に入るように周波数変換される。
【００２９】
図２（ａ）において、実線ａはバンドパスフィルタ６に入力される受信信号の周波数スペクトルを示し、破線ｂはバンドパスフィルタ６、８の周波数特性を示し、実線ｃはアナログテレビジョン信号（音声）の周波数、実線ｂはアナログテレビジョン信号（映像）の周波数をそれぞれ示している。
【００３０】
したがって、バンドパスフィルタ６、８を通過した音声信号セグメントを含む第１中間周波信号の周波数スペクトルは図２（ｂ）に示す如くになる。
【００３１】
バンドパスフィルタ８を通過した第１中間周波信号は増幅器９によって増幅され、増幅器９からの増幅出力はアッパーヘテロダインによって、すなわち第１中間周波数よりも高い発振周波数のＰＬＬ周波数シンセサイザによって、第２中間周波数、４．０６３／４（＝１．０１３７５）ＭＨｚに周波数変換される。
【００３２】
この結果、アッパーヘテロダインのために図２（ｂ）と図２（ｃ）との間で周波数の大小関係は反転、すなわちバンドパスフィルタを通過した第１中間周波信号の上限周波数は第２中間周波数の下限側に移動し、バンドパスフィルタを通過した第１中間周波信号の下限周波数は第２中間周波数の上限に移動する周波数の大小関係の反転が生じて、第２中間周波信号の周波数スペクトルは図２（ｃ）に実線で示す如くになる。ここでハイパスフィルタ１２の周波数特性は図２（ｃ）の破線で示す如くであって、受信希望セグメントに対応する第２中間周波信号部分はハイパスフィルタ１２の通過帯域中の下限部分に入って、ハイパスフィルタ１２を通過した信号は図２（ｄ）に示す如くであって、受信希望セグメントである音声信号セグメントが取り出される。
【００３３】
ハイパスフィルタ１２によって取り出された第２中間周波信号はＡ／Ｄ変換器１３にてＡ／Ｄ変換され、復調器１４により復調される。
【００３４】
上記において、音声信号セグメントと音声信号セグメントより周波数が高い６セグメントからなる７セグメントが送信側で同時に出力されている場合を例示したが、音声信号セグメントを含み音声信号セグメントより周波数が低い６セグメントからなる７セグメントが送信側で同時出力されている場合について説明する。
【００３５】
この場合には、バンドパスフィルタ６に入力される直前の受信信号の周波数スペクトラムは、図２（ａ）に対応して図３（ａ）に示す如くであり、受信希望セグメントである音声信号セグメントと音声信号セグメントの下側（周波数減少方向）２セグメントがバンドパスフィルタ６、８の通過帯域内に入るように周波数変換段４にて周波数変換される。
【００３６】
すなわち、図３（ａ）に示すように、音声信号セグメント直後の下側１セグメントの中心周波数が第１中間周波数５７ＭＨｚとなって、受信希望セグメントである音声信号セグメントと該音声信号セグメントの下側２セグメントまでがバンドパスフィルタ６、８の通過帯域内に入るように周波数変換される。
【００３７】
図３（ａ）において、実線ａはバンドパスフィルタ６に入力される受信信号の周波数スペクトルを示し、破線ｂはバンドパスフィルタ６、８の周波数特性を示し、実線ｃはアナログテレビジョン信号（音声）の周波数、実線ｂはアナログテレビジョン信号（映像）の周波数をそれぞれ示している。
【００３８】
したがって、バンドパスフィルタ６、８を通過した第１中間周波信号の周波数スペクトルは図２（ｂ）に対応して図３（ｂ）に示す如くになる。
【００３９】
バンドパスフィルタ８を通過した第１中間周波信号は増幅器９によって増幅され、増幅器９からの増幅出力はロワーヘテロダインによって、すなわち第１中間周波数よりも低い発振周波数のＰＬＬ周波数シンセサイザによって、第２中間周波数、４．０６３／４（＝１．０１３７５）ＭＨｚに周波数変換される。
【００４０】
この結果、ロワーヘテロダインのために図３（ｂ）と図３（ｃ）との周波数の大小関係は反転せず、すなわちバンドパスフィルタを通過した第１中間周波信号の上限周波数は第２中間周波数の上限側にあり、バンドパスフィルタを通過した第１中間周波信号の下限周波数は第２中間周波数の下限側にあって周波数の大小関係の反転が生ぜず、第２中間周波信号の周波数スペクトルは図２（ｃ）に対して図３（ｃ）に実線で示す如くになる。ここでハイパスフィルタ１２の周波数特性は図３（ｃ）の破線で示す如くであって、受信希望セグメントである音声信号セグメントに対応する第２中間周波信号部分はハイパスフィルタ１２の通過帯域中の下限部分に入って、ハイパスフィルタ１２を通過した信号は、図２（ｄ）に対応して図３（ｄ）に示す如くであって、受信希望セグメントである音声信号セグメントが取り出される。
【００４１】
ハイパスフィルタ１２によって取り出された第２中間周波信号はＡ／Ｄ変換器１３にてＡ／Ｄ変換され、復調器１４により復調される。
【００４２】
次に、受信希望セグメントである音声信号１セグメントを含み該音声信号１セグメントより周波数が高い３セグメントと音声信号１セグメントより周波数が低い３セグメントからなる７セグメントが送信側で同時に出力されている場合について説明する。
【００４３】
この場合には、図２（ａ）に対応してバンドパスフィルタ６に入力される前の受信信号は図４（ａ）に示す如くである。図４（ａ）において実線ａは受信希望セグメントと受信希望セグメントの上側（周波数増加方向）２セグメントがバンドパスフィルタ６、８の通過帯域内に入るように周波数変換段４にて周波数変換される。
【００４４】
すなわち、図４（ａ）に示すように、受信希望セグメント直前の上側１セグメントの中心周波数が第１中間周波数５７ＭＨｚとなって、受信希望セグメントである音声信号セグメントと該音声信号セグメントの上側２セグメントまでがバンドパスフィルタ６、８の通過帯域内に入るように周波数変換される。
【００４５】
図４（ａ）において、実線ａはバンドパスフィルタ６に入力される受信信号の周波数スペクトルを示し、破線ｂはバンドパスフィルタ６、８の周波数特性を示し、実線ｃはアナログテレビジョン信号（音声）の周波数、実線ｂはアナログテレビジョン信号（映像）の周波数をそれぞれ示している。
【００４６】
したがって、バンドパスフィルタ６、８を通過した第１中間周波信号の周波数スペクトルは図２（ｂ）に対応して図４（ｂ）に示す如くになる。
【００４７】
バンドパスフィルタ８を通過した第１中間周波信号は増幅器９によって増幅され、増幅器９からの増幅出力はアッパーヘテロダインによって、すなわち第１中間周波数よりも高い発振周波数のＰＬＬ周波数シンセサイザによって第２中間周波数、４．０６３／４（＝１．０１３７５）ＭＨｚに周波数変換される。
【００４８】
この結果、アッパーヘテロダインのために、図４（ｂ）に示されるバンドパスフィルタ８を通過した第１中間周波信号と第２中間周波信号との間で周波数の大小関係に反転が生じて、第２中間周波信号の周波数スペクトルは図２（ｃ）に対応して図４（ｃ）に実線で示す如くになる。ここでハイパスフィルタ１２の周波数特性は図４（ｃ）の破線で示す如くであって、受信希望セグメントに対応する第２中間周波信号部分はハイパスフィルタ１２の通過帯域中の下限部分に入って、ハイパスフィルタ１２を通過した信号は、図２（ｄ）に対応して図４（ｄ）に示す如くであって、受信希望セグメントである音声信号セグメントが取り出される。
【００４９】
ハイパスフィルタ１２によって取り出された第２中間周波信号はＡ／Ｄ変換器１３にてＡ／Ｄ変換され、復調器１４により復調される。
【００５０】
なお、音声信号１セグメントを含み音声信号１セグメントより周波数が高い３セグメントと周波数が低い３セグメントからなる７セグメントが送信側で同時に出力され、かつ受信希望セグメント直後の下側１セグメントの中心周波数が第１中間周波数５７ＭＨｚとなって、受信希望セグメントと受信希望セグメントの下側２セグメントまでがバンドパスフィルタ６、８の通過帯域内に入るように周波数変換される場合についても図３および図４に示した場合からから容易に理解されよう。
【００５１】
この場合は、第１中間周波数よりも低い発振周波数のＰＬＬ周波数シンセサイザによって第２中間周波数、４．０６３／４（＝１．０１３７５）ＭＨｚに周波数変換されることは勿論である。
【００５２】
また、セグメント切替信号により１３セグメント受信が指示されているときは、第１中間周波数に変換された１３セグメントの受信信号がスイッチ回路５を介してバンドパスフィルタ１７に導かれる。バンドパスフィルタ１７および１８は第１中間周波数に変換された１３セグメントの受信信号を通過させる。したがって、１３セグメントの受信信号は音声信号の１セグメント受信のときよりも高い第２中間周波信号４（２ｎ、ｎは２以上の自然数であって、この場合ｎ＝２の場合）×４．０６３／４ＭＨｚに変換され、ハイパスフィルタ１２を介して送出される。２ｎに選択するのはＡ／Ｄ変換器１３においてサンプリング周波数が選択しやすいためである。
【００５３】
したがって、１３セグメントの受信信号はハイパスフィルタの通過帯域内の周波数であって、通過周波数が制限されることはない。
【００５４】
【発明の効果】
以上説明したように本発明にかかるデジタル地上波放送受信機によれば、ハイパスフィルタにより音声信号１セグメントの信号のみが取り出せて、３セグメントの合成波でＡ／Ｄ変換する場合よりも劣化を少なくすることができる。また、マルチパスやフェージングにより発生する隣接チャンネル妨害の影響もなくすことができる。
【００５５】
本発明にかかるデジタル地上波放送受信機によれば、ハイパスフィルタは第２中間周波信号路中に設けられていて、第１中間周波数よりも通過信号の周波数は低いためハイパスフィルタを容易に構成することができる。
【図面の簡単な説明】
【図１】本発明の実施の一形態にかかるデジタル地上波放送受信機の構成を示すブロック図である。
【図２】本発明の実施の一形態にかかるデジタル地上波放送受信機の作用の模式説明図である。
【図３】本発明の実施の一形態にかかるデジタル地上波放送受信機の作用の模式説明図である。
【図４】本発明の実施の一形態にかかるデジタル地上波放送受信機の作用の模式説明図である。
【図５】従来のデジタル地上波放送受信機の構成を示すブロック図である。
【符号の説明】
２および９  ＡＧＣのための増幅器
３  トラッキングフィルタ
５  スイッチ回路
６、８、１７および１９  バンドパスフィルタ
１２  ハイパスフィルタ
１３  Ａ／Ｄ変換器
１４  復調器
１５および１６  検波回路
【図１】
0003607227.tif 000002
【図２】
0003607227.tif 000003
【図３】
0003607227.tif 000004
【図４】
0003607227.tif 000005
【図５】
0003607227.tif 000006